(57)【要約】【課題】スタンプラリーの面白さを向上させた管理サーバ及び移動証明システムを提供する。【解決手段】移動証明システム１００の管理サーバ３は、ＩＣタグ１０のタグＩＤ１１と、移動証明ＵＲＩと、地図ＵＲＩとを対応付けて記憶する情報接続先テーブル３１と、タグＩＤ１１と端末ＩＤ２３とを対応付けて記憶する取得履歴記憶部３２と、携帯端末２から受信した端末ＩＤ２３及びタグＩＤ１１との対応付けが取得履歴記憶部３２に存在する場合には未取得のタグＩＤ１１を特定し地図ＵＲＩを携帯端末２に送信し、存在しない場合には受信したタグＩＤ１１に対応する移動証明ＵＲＩを携帯端末２に送信する情報接続先送信部３８と、受信したタグＩＤ１１と端末ＩＤ２３とを取得履歴記憶部３２に反映させる履歴更新部３９とを備える。【選択図】図１
2014142690.tif 000002
【特許請求の範囲】
【請求項１】
所定の領域内の複数の場所の各々に設置された複数のＩＣタグ所持体と、利用者が携行する携帯端末と、複数の移動証明を記憶する移動証明サーバと、管理サーバとを備え、
前記ＩＣタグ所持体が、前記管理サーバの接続先情報である管理サーバ接続先と、タグ識別情報とを記憶するＩＣタグを備え、
前記携帯端末が、
前記移動証明サーバと、前記管理サーバとに対して通信ネットワークを介して接続されており、
前記ＩＣタグに近づけた状態で、前記ＩＣタグとの間で近距離通信をするためのアンテナと、
端末識別情報を記憶する記憶部と、
前記アンテナを介して前記ＩＣタグから前記管理サーバ接続先を読み取って前記管理サーバに接続する管理サーバ接続部と、
前記タグ識別情報と、前記端末識別情報とを前記管理サーバに対して送信する識別情報送信部と、
を備え、
前記利用者を移動させて前記移動証明を取得させるための移動証明システムの前記管理サーバであって、
前記タグ識別情報と、前記移動証明サーバの前記移動証明への接続先情報である移動証明接続先と、前記タグ識別情報を有する前記ＩＣタグ所持体の設置位置に関する情報への前記移動証明サーバの接続先情報である設置位置接続先とを関連付けて記憶する情報接続先テーブルと、
前記携帯端末の前記移動証明の取得履歴として、前記タグ識別情報と、前記端末識別情報とを対応付けて記憶する取得履歴記憶部と、
前記携帯端末から前記タグ識別情報と、前記端末識別情報とを受信する識別情報受信部と、
前記識別情報受信部により受信した前記タグ識別情報と、前記端末識別情報との対応付けが前記取得履歴記憶部に存在するか否かを判断する履歴判断部と、
前記履歴判断部により前記取得履歴記憶部に存在しないと判断された場合に、受信した前記タグ識別情報に対応した前記移動証明接続先を、前記情報接続先テーブルから選択して、前記携帯端末に送信する情報接続先送信部と、
前記履歴判断部により前記取得履歴記憶部に存在すると判断された場合に、受信した前記端末識別情報に対応する前記タグ識別情報を除いた、前記取得履歴記憶部に記憶されていない前記タグ識別情報を特定するタグ特定部と、
前記識別情報受信部により受信した前記タグ識別情報と、前記端末識別情報とを反映させて前記取得履歴記憶部を更新する履歴更新部と、
を備え、
前記情報接続先送信部は、前記タグ特定部により特定された前記タグ識別情報に対応した前記設置位置接続先を、前記情報接続先テーブルから選択して、前記携帯端末に送信すること、
を特徴とする管理サーバ。
【請求項２】
請求項１に記載の管理サーバにおいて、
前記設置位置接続先は、前記ＩＣタグ所持体の設置位置に関する情報として、前記識別情報受信部が受信した前記タグ識別情報を有する前記ＩＣタグ所持体の設置位置から前記タグ特定部により特定された前記タグ識別情報を有する前記ＩＣタグ所持体の設置位置までの地図情報への接続先情報であること、
を特徴とする管理サーバ。
【請求項３】
請求項１又は請求項２に記載の管理サーバにおいて、
前記情報接続先送信部は、
同一の前記タグ識別情報の読み取りが連続していない場合に、前記タグ特定部により特定された前記タグ識別情報に対応した前記設置位置接続先を、前記情報接続先テーブルから選択して、前記携帯端末に送信し、
同一の前記タグ識別情報の読み取りが連続した場合に、受信した前記タグ識別情報に対応した前記移動証明接続先を、前記情報接続先テーブルから選択して、前記携帯端末に送信すること、
を特徴とする管理サーバ。
【請求項４】
請求項１から請求項３までのいずれかに記載の管理サーバにおいて、
前記タグ特定部は、さらに、前記取得履歴記憶部を参照して、前記利用者を除く他の利用者の前記移動証明の取得状況を判断することで、前記他の利用者の取得率の低い前記タグ識別情報を特定すること、
を特徴とする管理サーバ。
【請求項５】
請求項１から請求項３までのいずれかに記載の管理サーバにおいて、
前記タグ特定部は、さらに、前記取得履歴記憶部を参照して前記利用者を除く他の利用者の前記移動証明の取得状況を判断することで、前記他の利用者の取得率の高い前記タグ識別情報を特定すること、
を特徴とする管理サーバ。
【請求項６】
利用者を移動させて移動証明を取得させるための移動証明システムであって、
所定の領域内の複数の場所の各々に設置された複数のＩＣタグ所持体と、前記利用者が携行する携帯端末と、複数の前記移動証明を記憶する移動証明サーバと、管理サーバとを備え、
前記ＩＣタグ所持体は、前記管理サーバの接続先情報である管理サーバ接続先と、タグ識別情報とを記憶するＩＣタグを備え、
前記携帯端末は、
前記移動証明サーバと、前記管理サーバとに対して通信ネットワークを介して接続されており、
前記ＩＣタグに近づけた状態で、前記ＩＣタグとの間で近距離通信をするためのアンテナと、
端末識別情報を記憶する記憶部と、
前記アンテナを介して前記ＩＣタグから前記管理サーバ接続先を読み取って前記管理サーバに接続する管理サーバ接続部と、
前記タグ識別情報と、前記端末識別情報とを前記管理サーバに対して送信する識別情報送信部と、
を備え、
前記管理サーバは、
前記タグ識別情報と、前記移動証明サーバの前記移動証明への接続先情報である移動証明接続先と、前記タグ識別情報を有する前記ＩＣタグ所持体の設置位置に関する情報への前記移動証明サーバの接続先情報である設置位置接続先とを関連付けて記憶する情報接続先テーブルと、
前記携帯端末の前記移動証明の取得履歴として、前記タグ識別情報と、前記端末識別情報とを対応付けて記憶する取得履歴記憶部と、
前記携帯端末から前記タグ識別情報と、前記端末識別情報とを受信する識別情報受信部と、
前記識別情報受信部により受信した前記タグ識別情報と、前記端末識別情報との対応付けが前記取得履歴記憶部に存在するか否かを判断する履歴判断部と、
前記履歴判断部により前記取得履歴記憶部に存在しないと判断された場合に、受信した前記タグ識別情報に対応した前記移動証明接続先を、前記情報接続先テーブルから選択して、前記携帯端末に送信する情報接続先送信部と、
前記履歴判断部により前記取得履歴記憶部に存在すると判断された場合に、受信した前記端末識別情報に対応する前記タグ識別情報を除いた、前記取得履歴記憶部に記憶されていない前記タグ識別情報を特定するタグ特定部と、
前記識別情報受信部により受信した前記タグ識別情報と、前記端末識別情報とを反映させて前記取得履歴記憶部を更新する履歴更新部と、
を備え、
前記管理サーバの前記情報接続先送信部は、前記タグ特定部により特定された前記タグ識別情報に対応した前記設置位置接続先を、前記情報接続先テーブルから選択して、前記携帯端末に送信し、
前記携帯端末は、
前記管理サーバから前記移動証明サーバへの接続先情報を受信する移動証明サーバ接続先受信部と、
受信した前記接続先情報に基づいて前記移動証明サーバに接続して、配信情報を出力する配信情報出力部と、
を備えること、
を特徴とする移動証明システム。
【発明の詳細な説明】
【技術分野】
【０００１】
本発明は、ＩＣタグを利用した管理サーバ及び移動証明システムに関する。
【背景技術】
【０００２】
従来、複数の電子タグ、携帯電話機、サーバから構成されるスタンプラリーシステムがあった（例えば、特許文献１）。
一方、駅に設置されたリーダライタによって、携帯端末に情報を提供するシステムがあった（例えば、特許文献２）。このシステムでは、携帯端末を駅に設置されたリーダライタ端末に近づけてかざすと、携帯端末がリーダライタ端末からＵＲＬを受信して、ウェブサーバに接続することで、携帯端末が駅周辺情報を取得する。
【先行技術文献】
【特許文献】
【０００３】
【特許文献１】特開２０１１−５３９５６号公報
【特許文献２】特開２０１０−１２３００６号公報
【発明の概要】
【発明が解決しようとする課題】
【０００４】
上述の特許文献１は、電子タグにタグＩＤと設置場所に関するユニークな情報が設定されているものであった。また、特許文献２は、リーダライタや記憶媒体に、情報提供先を示すＵＲＬが予め記憶されているものであった。よって、特許文献２をスタンプラリーに適用した場合には、携帯端末に提供される情報は、読み取りの都度一律のものであり、スタンプラリーが単純になるので、面白さに欠けるものであった。
【０００５】
そこで、本発明は、スタンプラリーの面白さを向上させた管理サーバ及び移動証明システムを提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、所定の領域（Ｚ）内の複数の場所の各々に設置された複数のＩＣタグ所持体（１）と、利用者（Ｐ）が携行する携帯端末（２）と、複数の移動証明を記憶する移動証明サーバ（４）と、管理サーバ（３）とを備え、前記ＩＣタグ所持体が、前記管理サーバの接続先情報である管理サーバ接続先（１２）と、タグ識別情報（１１）とを記憶するＩＣタグ（１０）を備え、前記携帯端末が、前記移動証明サーバと、前記管理サーバとに対して通信ネットワーク（Ｎ）を介して接続されており、前記ＩＣタグに近づけた状態で、前記ＩＣタグとの間で近距離通信をするためのアンテナ（２１）と、端末識別情報（２３）を記憶する記憶部（２２）と、前記アンテナを介して前記ＩＣタグから前記管理サーバ接続先を読み取って前記管理サーバに接続する管理サーバ接続部（２６）と、前記タグ識別情報と、前記端末識別情報とを前記管理サーバに対して送信する識別情報送信部（２７）と、を備え、前記利用者を移動させて前記移動証明を取得させるための移動証明システム（１００）の前記管理サーバであって、前記タグ識別情報と、前記移動証明サーバの前記移動証明への接続先情報である移動証明接続先と、前記タグ識別情報を有する前記ＩＣタグ所持体の設置位置に関する情報への前記移動証明サーバの接続先情報である設置位置接続先とを関連付けて記憶する情報接続先テーブル（３１）と、前記携帯端末の前記移動証明の取得履歴として、前記タグ識別情報と、前記端末識別情報とを対応付けて記憶する取得履歴記憶部（３２）と、前記携帯端末から前記タグ識別情報と、前記端末識別情報とを受信する識別情報受信部（３６）と、前記識別情報受信部により受信した前記タグ識別情報と、前記端末識別情報との対応付けが前記取得履歴記憶部に存在するか否かを判断する履歴判断部（３７ａ）と、前記履歴判断部により前記取得履歴記憶部に存在しないと判断された場合に、受信した前記タグ識別情報に対応した前記移動証明接続先を、前記情報接続先テーブルから選択して、前記携帯端末に送信する情報接続先送信部（３８）と、前記履歴判断部により前記取得履歴記憶部に存在すると判断された場合に、受信した前記端末識別情報に対応する前記タグ識別情報を除いた、前記取得履歴記憶部に記憶されていない前記タグ識別情報を特定するタグ特定部（３７ｂ）と、前記識別情報受信部により受信した前記タグ識別情報と、前記端末識別情報とを反映させて前記取得履歴記憶部を更新する履歴更新部（３９）と、を備え、前記情報接続先送信部は、前記タグ特定部により特定された前記タグ識別情報に対応した前記設置位置接続先を、前記情報接続先テーブルから選択して、前記携帯端末に送信すること、を特徴とする管理サーバである。
第２の発明は、第１の発明の管理サーバ（３）において、前記設置位置接続先は、前記ＩＣタグ所持体（１）の設置位置に関する情報として、前記識別情報受信部（３６）が受信した前記タグ識別情報（１１）を有する前記ＩＣタグ所持体の設置位置から前記タグ特定部（３７ｂ）により特定された前記タグ識別情報を有する前記ＩＣタグ所持体の設置位置までの地図情報への接続先情報であること、を特徴とする管理サーバである。
第３の発明は、第１の発明又は第２の発明の管理サーバ（３）において、前記情報接続先送信部（３８）は、同一の前記タグ識別情報（１１）の読み取りが連続していない場合に、前記タグ特定部（３７ｂ）により特定された前記タグ識別情報に対応した前記設置位置接続先を、前記情報接続先テーブル（３１）から選択して、前記携帯端末（２）に送信し、同一の前記タグ識別情報の読み取りが連続した場合に、受信した前記タグ識別情報に対応した前記移動証明接続先を、前記情報接続先テーブルから選択して、前記携帯端末に送信すること、を特徴とする管理サーバである。
第４の発明は、第１の発明から第３の発明までのいずれかの管理サーバ（３）において、前記タグ特定部（３７ｂ）は、さらに、前記取得履歴記憶部（３２）を参照して、前記利用者（Ｐ）を除く他の利用者の前記移動証明の取得状況を判断することで、前記他の利用者の取得率の低い前記タグ識別情報（１１）を特定すること、を特徴とする管理サーバである。
第５の発明は、第１の発明から第３の発明までのいずれかの管理サーバにおいて、前記タグ特定部は、さらに、前記取得履歴記憶部を参照して前記利用者を除く他の利用者の前記移動証明の取得状況を判断することで、前記他の利用者の取得率の高い前記タグ識別情報を特定すること、を特徴とする管理サーバである。
【０００８】
第６の発明は、利用者（Ｐ）を移動させて移動証明を取得させるための移動証明システム（１００）であって、所定の領域（Ｚ）内の複数の場所の各々に設置された複数のＩＣタグ所持体（１）と、前記利用者が携行する携帯端末（２）と、複数の前記移動証明を記憶する移動証明サーバ（４）と、管理サーバ（３）とを備え、前記ＩＣタグ所持体は、前記管理サーバの接続先情報である管理サーバ接続先（１２）と、タグ識別情報（１１）とを記憶するＩＣタグ（１０）を備え、前記携帯端末は、前記移動証明サーバと、前記管理サーバとに対して通信ネットワーク（Ｎ）を介して接続されており、前記ＩＣタグに近づけた状態で、前記ＩＣタグとの間で近距離通信をするためのアンテナ（２１）と、端末識別情報（２３）を記憶する記憶部（２２）と、前記アンテナを介して前記ＩＣタグから前記管理サーバ接続先を読み取って前記管理サーバに接続する管理サーバ接続部（２６）と、前記タグ識別情報と、前記端末識別情報とを前記管理サーバに対して送信する識別情報送信部（２７）と、を備え、前記管理サーバは、前記タグ識別情報と、前記移動証明サーバの前記移動証明への接続先情報である移動証明接続先と、前記タグ識別情報を有する前記ＩＣタグ所持体の設置位置に関する情報への前記移動証明サーバの接続先情報である設置位置接続先とを関連付けて記憶する情報接続先テーブル（３１）と、前記携帯端末の前記移動証明の取得履歴として、前記タグ識別情報と、前記端末識別情報とを対応付けて記憶する取得履歴記憶部（３２）と、前記携帯端末から前記タグ識別情報と、前記端末識別情報とを受信する識別情報受信部（３６）と、前記識別情報受信部により受信した前記タグ識別情報と、前記端末識別情報との対応付けが前記取得履歴記憶部に存在するか否かを判断する履歴判断部（３７ａ）と、前記履歴判断部により前記取得履歴記憶部に存在しないと判断された場合に、受信した前記タグ識別情報に対応した前記移動証明接続先を、前記情報接続先テーブルから選択して、前記携帯端末に送信する情報接続先送信部（３８）と、前記履歴判断部により前記取得履歴記憶部に存在すると判断された場合に、受信した前記端末識別情報に対応する前記タグ識別情報を除いた、前記取得履歴記憶部に記憶されていない前記タグ識別情報を特定するタグ特定部（３７ｂ）と、前記識別情報受信部により受信した前記タグ識別情報と、前記端末識別情報とを反映させて前記取得履歴記憶部を更新する履歴更新部（３９）と、を備え、前記管理サーバの前記情報接続先送信部は、前記タグ特定部により特定された前記タグ識別情報に対応した前記設置位置接続先を、前記情報接続先テーブルから選択して、前記携帯端末に送信し、前記携帯端末は、前記管理サーバから前記移動証明サーバへの接続先情報を受信する移動証明サーバ接続先受信部（２８）と、受信した前記接続先情報に基づいて前記移動証明サーバに接続して、配信情報を出力する配信情報出力部（２９）と、を備えること、を特徴とする移動証明システムである。
【発明の効果】
【０００９】
本発明によれば、スタンプラリーの面白さを向上させた管理サーバ及び移動証明システムを提供することができる。
【図面の簡単な説明】
【００１０】
【図１】本実施形態に係る移動証明システムの全体構成を示す図である。
【図２】本実施形態に係る動物園の概略を示す図である。
【図３】本実施形態に係る携帯端末、管理サーバ及び情報提供サーバの機能ブロックを示す図である。
【図４】本実施形態に係る情報接続先テーブルの例を示す図である。
【図５】本実施形態に係る取得履歴記憶部及び移動証明サーバの記憶部の例を示す図である。
【図６】本実施形態に係る移動証明システムの情報配信処理のフローチャートである。
【図７】本実施形態に係る配信情報決定処理のフローチャートである。
【図８】本実施形態に係るスタンプラリーの参加者による具体例を示す図である。
【図９】本実施形態に係る携帯端末に出力される配信情報の具体例を示す図である。
【発明を実施するための形態】
【００１１】
以下、本発明を実施するための形態について、図を参照しながら説明する。なお、これは、あくまでも一例であって、本発明の技術的範囲はこれに限られるものではない。
（実施形態）
図１は、本実施形態に係る移動証明システム１００の全体構成を示す図である。
図２は、本実施形態に係る動物園Ｚの概略を示す図である。
図３は、本実施形態に係る携帯端末２、管理サーバ３及び移動証明サーバ４の機能ブロックを示す図である。
図４は、本実施形態に係る情報接続先テーブル３１の例を示す図である。
図５は、本実施形態に係る取得履歴記憶部３２及び移動証明サーバ４の記憶部４０の例を示す図である。
【００１２】
図１に示すように、移動証明システム１００は、携帯端末２による動物園Ｚ（所定の領域）内でのスタンプラリーに関するシステムである。各スタンプラリーの参加者Ｐ（利用者）が携行する携帯端末２を、ポスター１（１Ａ）（ＩＣタグ所持体）のＩＣタグ１０（１０Ａ）にかざすと、携帯端末２が管理サーバ３に接続される。そして、管理サーバ３は、リダイレクト機能により、ＩＣタグ１０にかざされた携帯端末２を、移動証明サーバ４に接続する。そして、移動証明サーバ４は、携帯端末２に配信情報を送信する。
この携帯端末２に出力する配信情報は、例えば、スタンプの画像データ（移動証明）や、地図情報である。参加者Ｐがポスター１に携帯端末２を初めてかざすことで、携帯端末２は、スタンプの画像データを出力する。また、参加者Ｐが同一のポスター１に連続せずに携帯端末２をかざすことで、携帯端末２は、現在地から未取得のスタンプの位置までの道のりを示す地図情報を出力する。これは、参加者Ｐに既に取得したスタンプの位置まで戻らせるというペナルティを与えるものであり、ペナルティと引き換えに、参加者Ｐは、現在地から未取得のスタンプの位置までの地図情報を取得できる（詳細は、後述する）。
【００１３】
移動証明システム１００は、ポスター１と、携帯端末２と、管理サーバ３と、移動証明サーバ４とを備える。携帯端末２と、管理サーバ３と、移動証明サーバ４とは、インターネット等の通信ネットワークＮを介して通信可能になっている。
図２に示すように、動物園Ｚには、出入口Ｅ１〜Ｅ３がある。参加者Ｐは、出入口Ｅ１〜Ｅ３のいずれから入場しても、スタンプラリーに参加することができる。動物園Ｚには、Ａ〜Ｅの５ヶ所にポスター１（１Ａ〜１Ｅ）が設置されている。Ａ〜Ｅは、各々動物が展示されている場所である。参加者Ｐは、任意の場所のポスター１から、スタンプラリーを始めることができる。
ポスター１は、紙材、樹脂シート材等から形成された媒体である。ポスター１は、ある動物園Ｚ内の動物を展示する場所の看板の脇等、参加者Ｐの目に付きやすい場所に掲示されている。また、各ポスター１同士は、離れた場所に配置されている。そのため、参加者Ｐは、移動する必要がある。
【００１４】
図１に戻り、ポスター１は、ＩＣタグ１０と、印刷１５（１５ａ，１５ｂ）とを備える。
ＩＣタグ１０は、ＲＦＩＤ（Ｒａｄｉｏ  Ｆｒｅｑｕｅｎｃｙ  ＩＤｅｎｔｉｆｉｃａｔｉｏｎ）タグである。ＲＦＩＤタグは、ポスター１の表面に印刷された枠１６内に配置されている。
ＩＣタグ１０は、ループアンテナ（図示せず）を備えており、携帯端末２との間で通信できる。これらの間の通信は、例えば、数ｍｍ〜数十ｍｍ程度である。ＩＣタグ１０は、例えば、ＮＦＣ（Ｎｅａｒ  Ｆｉｅｌｄ  Ｃｏｍｍｕｎｉｃａｔｉｏｎ）の規格（ＩＳＯ／ＩＥＣ１８０９２（ＮＦＣ  ＩＰ−１）、ＩＳＯ／ＩＥＣ２１４８１（ＮＦＣ  ＩＰ−２））に基づいて、１３．５６ＭＨｚの電磁波を利用する。
ＩＣタグ１０は、ＩＣタグ１０を統括的に制御する制御部（図示せず）と、ＩＣタグ１０の動作に必要なプログラムや情報を記憶する記憶部（図示せず）とを備える。この記憶部は、タグＩＤ１１（タグ識別情報）と、管理サーバＵＲＩ（Ｕｎｉｆｏｒｍ  Ｒｅｓｏｕｒｃｅ  Ｉｄｅｎｔｉｆｉｅｒ）１２とを記憶している。
【００１５】
タグＩＤ１１は、ＩＣタグ１０ごとに割り当てられた識別情報である。このため、タグＩＤ１１は、ＩＣタグ１０ごとに異なる。図１に示すＩＣタグ１０（１０Ａ）の例では、タグＩＤ１１（１１Ａ）は、「００Ａ」である。タグＩＤ１１は、どのＩＣタグ１０に基づいて携帯端末２が接続されたか等を管理サーバ３が解析して、携帯端末２に送信する配信情報を決定するために用いられる。
管理サーバＵＲＩ１２は、通信ネットワークＮ上の管理サーバ３の接続先情報である。管理サーバＵＲＩ１２は、複数のＩＣタグ１０に共通であってよい。このため、携帯端末２は、どのＩＣタグ１０にかざされても、管理サーバ３に接続する。
印刷１５は、ポスター１の表面に設けられている。印刷１５ａの内容は、「枠内に情報端末をかざすとスタンプを取得できます」というものであり、参加者Ｐに対して、携帯端末２をかざすことを促す内容である。また、印刷１５ｂの内容は、「次の取得場所が分からない場合は、既にスタンプを取得したポスターに戻って再度情報端末をかざしてください」というものであり、参加者Ｐに対して、既にスタンプの画像データを取得したポスター１まで戻ることで、他のスタンプの取得へと導く内容である。
【００１６】
携帯端末２は、各利用者が携行する携帯情報端末であり、例えば、スマートフォン等の多機能型携帯電話である。
図３に示すように、携帯端末２は、表示部２０と、アンテナ２１と、記憶部２２と、制御部２５とを備える。
表示部２０は、例えば、液晶表示装置、有機ＥＬ表示装置等の表示装置である。表示部２０は、移動証明サーバ４から受信した配信情報を表示する。
アンテナ２１は、ループアンテナである。アンテナ２１は、ＩＣタグ１０が携帯端末２との間で通信するためのものである。携帯端末２をポスター１にかざすと、アンテナ２１とポスター１のＩＣタグ１０とが近づく。これにより、携帯端末２は、アンテナ２１を介してＩＣタグ１０と通信できる。
【００１７】
記憶部２２は、携帯端末２の動作に必要なプログラム、データ等を記憶するための半導体メモリ素子等の記憶装置である。記憶部２２は、端末ＩＤ２３（端末識別情報）を記憶する。
端末ＩＤ２３は、携帯端末２を識別可能な記号である。端末ＩＤ２３は、例えば、携帯端末２のＵＩＭ（Ｕｓｅｒ  Ｉｄｅｎｔｉｔｙ  Ｍｏｄｕｌｅ）（図示せず）の利用者識別番号であってよい。
制御部２５は、携帯端末２の全体を制御する中央処理装置（ＣＰＵ）である。制御部２５は、記憶部２２に記憶されているオペレーティングシステム（ＯＳ）や、各種のアプリケーションプログラムを適宜読み出して実行することにより、上述したハードウェアと協働し、各種機能を実行する。
【００１８】
制御部２５は、管理サーバ接続部２６と、ＩＤ送信部２７（識別情報送信部）と、接続先受信部２８と、配信情報出力部２９とを備える。
管理サーバ接続部２６は、携帯端末２が管理サーバＵＲＩ１２を読み取って、読み取った管理サーバＵＲＩ１２を用いて管理サーバ３への接続処理を行う制御部である。
ＩＤ送信部２７は、携帯端末２が読み取ったタグＩＤ１１と、端末ＩＤ２３とを管理サーバ３に送信する制御部である。
接続先受信部２８は、管理サーバ３から移動証明サーバ４のＵＲＩを受信する制御部である。
配信情報出力部２９は、移動証明サーバ４に接続して、移動証明サーバ４から受信した配信情報を表示部２０に出力する制御部である。
これらの各機能の詳細については、後述する。
【００１９】
管理サーバ３は、携帯端末２を、移動証明サーバ４に接続させるためのサーバである。
管理サーバ３は、記憶部３０と、制御部３５とを備える。
記憶部３０は、制御部３５の処理を実行するために必要なプログラム、データ等を記憶するためのハードディスク、半導体メモリ素子等の記憶装置である。
記憶部３０は、情報接続先テーブル３１と、取得履歴記憶部３２とを備える。
【００２０】
図４に示すように、情報接続先テーブル３１は、移動証明サーバ４の配信情報への接続先である移動証明サーバＵＲＩを記憶するテーブルである。移動証明サーバＵＲＩは、移動証明サーバ４の配信情報の所在を示すアドレスである。
情報接続先テーブル３１は、タグＩＤ１１と、移動証明サーバＵＲＩである移動証明ＵＲＩ（移動証明接続先）及び地図ＵＲＩ（設置位置接続先）とを関連付けて記憶している。例えば、Ａの位置（図２参照）には、「００Ａ」のタグＩＤ１１Ａ（図示せず）が設置されている。同様に、Ｂの位置には、「００Ｂ」のタグＩＤ１１Ｂ（図示せず）が、Ｃの位置には、「００Ｃ」のタグＩＤ１１Ｃ（図示せず）が、Ｄの位置には、「００Ｄ」のタグＩＤ１１Ｄ（図示せず）が、Ｅの位置には、「００Ｅ」のタグＩＤ１１Ｅ（図示せず）が、それぞれ設置されている。
【００２１】
図５（ａ）に示すように、取得履歴記憶部３２は、端末ＩＤ２３と、タグＩＤ１１とを、携帯端末２から受信した受信日時に対応付けて記憶する。図５（ａ）には、端末ＩＤ２３が「ｘｘｘ１」の携帯端末２からの受信履歴が４つある。これは、携帯端末２が、同一日（「２０１２／１２／１」）にＩＣタグ１０に４回かざされたことで、携帯端末２がその都度送信した端末ＩＤ２３及びタグＩＤ１１が記憶されたものである。なお、取得履歴記憶部３２は、例えば、受信日ごとにデータを記憶してもよい。
【００２２】
図３に戻り、制御部３５は、管理サーバ３の全体を制御するＣＰＵである。制御部３５は、記憶部３０に記憶されているＯＳや、各種のアプリケーションプログラムを適宜読み出して実行することにより、上述したハードウェアと協働し、各種機能を実行する。
制御部３５は、ＩＤ受信部３６（識別情報受信部）と、履歴判断部３７ａと、タグ特定部３７ｂと、情報接続先送信部３８と、履歴更新部３９とを備える。
ＩＤ受信部３６は、携帯端末２からタグＩＤ１１と、端末ＩＤ２３とを受信する制御部である。
履歴判断部３７ａは、受信したタグＩＤ１１と、端末ＩＤ２３とが、取得履歴記憶部３２に存在するか否かを判断する制御部である。
タグ特定部３７ｂは、履歴判断部３７ａにおいて、取得履歴記憶部３２に存在すると判断された場合に、受信した端末ＩＤ２３に対応するタグＩＤ１１を除いた、取得履歴記憶部３２に記憶されていないタグＩＤ１１を特定する制御部である。
【００２３】
情報接続先送信部３８は、履歴判断部３７ａにおいて、取得履歴記憶部３２に存在すると判断された場合には、情報接続先テーブル３１を参照して、現在地（読み取ったＩＣタグ１０の設置位置）からタグ特定部３７ｂにおいて特定されたタグＩＤ１１のＩＣタグ１０が配置されたポスター１までの道のりを示す地図ＵＲＩを、携帯端末２に送信する。また、情報接続先送信部３８は、履歴判断部３７ａにおいて、取得履歴記憶部３２に存在しないと判断された場合には、情報接続先テーブル３１を参照して、受信したタグＩＤ１１に対応する移動証明ＵＲＩを、携帯端末２に送信する。
履歴更新部３９は、受信したタグＩＤ１１と、端末ＩＤ２３とを、取得履歴記憶部３２に反映させる制御部である。
これらの各機能の詳細については、後述する。
【００２４】
移動証明サーバ４は、携帯端末２からの要求に応じて、配信情報を携帯端末２に送信するサーバである。本実施形態では、移動証明サーバ４は、１つのサーバにより行うものとして説明するが、移動証明サーバ４の数は、これに限定されない。
移動証明サーバ４は、記憶部４０と、制御部４５とを備える。
記憶部４０は、制御部４５を実行するために必要なプログラム、データ等を記憶するためのハードディスク、半導体メモリ素子等の記憶装置である。
記憶部４０は、移動証明記憶部４１と、地図情報記憶部４２とを備える。
移動証明記憶部４１は、スタンプの画像データを記憶する。
地図情報記憶部４２は、地図情報を記憶する。図５（ｂ）に示すように、記憶部４０は、移動証明記憶部４１と、地図情報記憶部４２とをディレクトリに分けて記憶している。
【００２５】
図３に戻り、制御部４５は、移動証明サーバ４の全体を制御するＣＰＵである。制御部４５は、記憶部４０に記憶されているＯＳや、各種のアプリケーションプログラムを適宜読み出して実行することにより、上述したハードウェアと協働し、各種機能を実行する。
制御部４５は、携帯端末２からの要求に応じて、配信情報を送信したりする処理を行う。制御部４５の詳細な処理は、後述する。
【００２６】
次に、移動証明システム１００の処理について説明する。
図６は、本実施形態に係る移動証明システム１００の情報配信処理のフローチャートである。
図７は、本実施形態に係る配信情報決定処理のフローチャートである。
図６のステップＳ（以下、単に「Ｓ」という。）１において、動物園Ｚにいる参加者Ｐが携帯端末２をポスター１にかざすことで、そのアンテナ２１及びポスター１のＩＣタグ１０間が通信距離内に近づく。これにより、携帯端末２の制御部２５は、ＩＣタグ１０との間で通信して、ＩＣタグ１０からタグＩＤ１１と、管理サーバＵＲＩ１２とを読み出す。
【００２７】
Ｓ２において、制御部２５（管理サーバ接続部２６）は、管理サーバＵＲＩ１２に基づいて管理サーバ３に接続する。そして、制御部２５（ＩＤ送信部２７）は、ＩＣタグ１０のタグＩＤ１１と、携帯端末２の端末ＩＤ２３とを送信して、配信情報の要求を行う。
Ｓ３において、管理サーバ３の制御部３５（ＩＤ受信部３６）は、携帯端末２からタグＩＤ１１と端末ＩＤ２３とを受信する。
Ｓ４において、管理サーバ３の制御部３５は、移動証明サーバＵＲＩを、タグＩＤ１１の読み取り状況に応じて決定する配信情報決定処理を行う。
【００２８】
ここで、配信情報決定処理について説明する。
図７のＳ１１において、制御部３５（履歴判断部３７ａ）は、受信したタグＩＤ１１と、端末ＩＤ２３とのレコードが、取得履歴記憶部３２に存在するか否かを確認する。取得履歴記憶部３２は、ここで説明する配信情報決定処理の後に、受信したタグＩＤ１１と、端末ＩＤ２３とのレコードを追加して記憶する。
Ｓ１２において、制御部３５（履歴判断部３７ａ）は、受信したタグＩＤ１１と、端末ＩＤ２３とのレコードが、取得履歴記憶部３２に存在した場合（Ｓ１２：ＹＥＳ）には、処理をＳ１３に移す。他方、制御部３５は、受信したタグＩＤ１１と、端末ＩＤ２３とのレコードが、取得履歴記憶部３２に存在しない場合（Ｓ１２：ＮＯ）には、処理をＳ１３ａに移す。
【００２９】
Ｓ１３において、制御部３５は、受信した端末ＩＤ２３と同じ端末ＩＤ２３のレコードを、取得履歴記憶部３２から抽出して、抽出したレコードを時系列に並べる。
Ｓ１４において、制御部３５は、直前のレコードのタグＩＤ１１と、受信したタグＩＤ１１とが同一か否かを判断する。同一の場合（Ｓ１４：ＹＥＳ）には、制御部３５は、処理をＳ１３ａに移す。他方、同一ではない場合（Ｓ１４：ＮＯ）には、制御部３５は、処理をＳ１５に移す。同一の場合とは、同じポスター１のタグＩＤ１１を連続して読み取った場合をいう。また、同一ではない場合とは、過去に読み取ったポスター１のタグＩＤ１１を読み取った場合をいう。つまり、同一ではない場合は、次の取得場所が分からない場合で、既に読み取ったポスター１の場所まで参加者Ｐが戻って、タグＩＤ１１を読み取った場合である。
【００３０】
Ｓ１５において、制御部３５（タグ特定部３７ｂ）は、未取得タグＩＤの特定処理を行う。具体的には、制御部３５は、取得履歴記憶部３２を参照して、参加者Ｐを除く他の参加者の取得状況に基づいて、他の参加者の取得率の低いタグＩＤ１１を特定する。
Ｓ１６において、制御部３５（情報接続先送信部３８）は、情報接続先テーブル３１を参照して、受信したタグＩＤ１１のＩＣタグ１０が配置されたポスター１から、Ｓ１５において決定したタグＩＤ１１のＩＣタグ１０が配置されたポスター１への道のりを示す地図ＵＲＩを選択する。
他方、Ｓ１３ａにおいて、制御部３５（情報接続先送信部３８）は、情報接続先テーブル３１を参照して、受信したタグＩＤ１１に対応する移動証明ＵＲＩを選択する。その後、制御部３５は、図６のＳ５に戻る。
【００３１】
図６に戻り、Ｓ５において、制御部３５（履歴更新部３９）は、受信したタグＩＤ１１と、端末ＩＤ２３とを、取得履歴記憶部３２に記憶させる。
Ｓ６において、制御部３５（情報接続先送信部３８）は、選択した移動証明サーバＵＲＩを、情報配信の要求のあった携帯端末２に送信する。
Ｓ７において、携帯端末２の制御部２５（接続先受信部２８）は、管理サーバ３から移動証明サーバＵＲＩを受信する。携帯端末２の制御部２５は、リダイレクト処理により、その移動証明サーバＵＲＩに基づいて、移動証明サーバ４に接続して、配信情報を要求する。
Ｓ８において、移動証明サーバ４の制御部４５は、携帯端末２からの接続に応じて、携帯端末２が要求する移動証明サーバＵＲＩに対応した配信情報を、記憶部４０（移動証明記憶部４１又は地図情報記憶部４２）から読み出す。
Ｓ９において、移動証明サーバ４の制御部４５は、読み出した配信情報を、接続のあった携帯端末２に送信する。
Ｓ１０において、携帯端末２の制御部２５（配信情報出力部２９）は、移動証明サーバ４から受信した配信情報を、表示部２０に出力する。
参加者Ｐが動物園Ｚ内を移動して、携帯端末２を各場所に設置されたポスター１にかざすことで、この移動証明システム１００の一連の処理が繰り返し行われる。
【００３２】
ここで、図５（ａ）に示す端末ＩＤ２３が「ｘｘｘ１」の携帯端末２での配信情報決定処理の具体例について、図８及び図９に基づき説明する。
図８は、本実施形態に係るスタンプラリーの参加者Ｐによる具体例を示す図である。
図９は、本実施形態に係る携帯端末２に出力される配信情報の具体例を示す図である。
図８（１）は、参加者Ｐが出入口Ｅ１から入場して、出入口Ｅ１から一番近いＡの場所に行き、スタンプラリーを開始した場合である。
参加者Ｐは、ポスター１ＡのＩＣタグ１０Ａに携帯端末２を近づけてかざす（図５（ａ）の１３：０２）。この場合、携帯端末２は、タグＩＤ１１Ａ（００Ａ）を読み取る（図６のＳ１）。受信したタグＩＤ１１Ａ（００Ａ）と、端末ＩＤ２３（ｘｘｘ１）とのレコードが存在しないので（図７のＳ１２：ＮＯ）、制御部３５は、情報接続先テーブル３１を参照して、「ポイントＡのスタンプ」であるタグＩＤ１１Ａ（００Ａ）の移動証明ＵＲＩ（ｈｔｔｐ：／／ｗｗｗ．ＯＸ．Ｓａ）を選択する（図７のＳ１３ａ）。そして、制御部３５（履歴更新部３９）は、取得履歴記憶部３２に、図５（ａ）の（１）のレコードを追加する（図６のＳ５）。
このように、取得履歴記憶部３２にタグＩＤ１１と、端末ＩＤ２３とが対応したレコードが存在しない場合には、読み取られたＩＣタグ１０のタグＩＤ１１に対応する移動証明が選択されることで、後述するように、携帯端末２は、ＩＣタグ１０Ａが設置された場所のスタンプの画像データを表示部２０に表示する（図９（１））。スタンプの画像データは、参加者Ｐによる携帯端末２の操作により、記憶部２２に保存できる。
【００３３】
図８（２）は、参加者ＰがＡの場所からＢの場所に移動した場合である。
参加者Ｐは、ポスター１ＢのＩＣタグ１０Ｂに携帯端末２を近づけてかざす（図５（ａ）の１３：１５）。この場合、携帯端末２は、タグＩＤ１１Ｂ（００Ｂ）を読み取る（図６のＳ１）。受信したタグＩＤ１１Ｂ（００Ｂ）と、端末ＩＤ２３（ｘｘｘ１）とのレコードが存在しないので（図７のＳ１２：ＮＯ）、制御部３５は、情報接続先テーブル３１を参照して、「ポイントＢのスタンプ」であるタグＩＤ１１Ｂ（００Ｂ）の移動証明ＵＲＩ（ｈｔｔｐ：／／ｗｗｗ．ＯＸ．Ｓｂ）を選択する（図７のＳ１３ａ）。そして、制御部３５（履歴更新部３９）は、取得履歴記憶部３２に、図５（ａ）の（２）のレコードを追加する（図６のＳ５）。
そして、携帯端末２は、ＩＣタグ１０Ｂが設置された場所のスタンプの画像データを表示部２０に表示する（図９（２））。
【００３４】
図８（３）は、参加者Ｐが、Ｂの場所からＣの場所に移動した場合である。
参加者Ｐは、ポスター１ＣのＩＣタグ１０Ｃに携帯端末２を近づけてかざす（図５（ａ）の１３：３０）。この場合も、図８（１）及び（２）の場合と同様の処理により、制御部３５は、「ポイントＣのスタンプ」であるタグＩＤ１１Ｃ（００Ｃ）の移動証明ＵＲＩ（ｈｔｔｐ：／／ｗｗｗ．ＯＸ．Ｓｃ）を選択することで、携帯端末２は、図９（３）のスタンプの画像データを表示部２０に表示する。そして、制御部３５（履歴更新部３９）は、取得履歴記憶部３２に、図５（ａ）の（３）のレコードを追加する（図６のＳ５）。
このように、参加者Ｐは、順次スタンプの画像データを取得できる。
ここで、スタンプラリーでは、次のスタンプの場所が分からない場合や、次に取得すべきスタンプが分からない場合がある。このような場合、参加者Ｐは、ポスター１の印刷１５ｂ（図１参照）に従い、以前にスタンプの画像データを取得した場所のポスター１まで戻る。
【００３５】
図８（４）は、参加者Ｐが、以前にスタンプの画像データを取得したＢの場所に戻った場合である。なお、この例では、参加者Ｐは、Ｂの場所に戻っているが、以前にスタンプの画像データを取得した場所であればよいので、Ａの場所に戻ってもよい。
参加者Ｐは、ＩＣタグ１０Ｂに携帯端末２を近づけてかざす（図５（ａ）の１３：４２）。この場合、携帯端末２は、タグＩＤ１１Ｂ（００Ｂ）を読み取る（図６のＳ１）。受信したタグＩＤ１１Ｂ（００Ｂ）と、端末ＩＤ２３（ｘｘｘ１）とのレコードが存在するので（図７のＳ１２：ＹＥＳ）、制御部３５は、取得履歴記憶部３２から端末ＩＤ２３（ｘｘｘ１）のレコードを抽出して、時系列に並べる（図７のＳ１３）。そして、直前のレコードのタグＩＤ１１Ｃ（００Ｃ）が、受信したタグＩＤ１１Ｂ（００Ｂ）とは異なるので（図７のＳ１４：ＮＯ）、制御部３５は、未取得のタグＩＤ１１Ｅを特定する（図７のＳ１５）。そして、制御部３５は、情報接続先テーブル３１を参照して「ポイントＥへの地図」であるタグＩＤ１１Ｂ（００Ｂ）のＥへの地図ＵＲＩ（ｈｔｔｐ：／／ｗｗｗ．ＯＸ．Ｍｂｅ）を選択する（図７のＳ１６）。そして、制御部３５（履歴更新部３９）は、取得履歴記憶部３２に、図５（ａ）の（４）のレコードを追加する（図６のＳ５）。
【００３６】
そして、携帯端末２は、現在地５１からＩＣタグ１０Ｅが設置されたポスター１Ｅの設置位置５２までの道のりを示す地図情報を、表示部２０に表示する（図９（４））。
このように、携帯端末２を連続せずに以前に読み取られたＩＣタグ１０にかざした場合には、未取得のスタンプの画像データを取得させるためのへの地図情報を表示する。よって、参加者Ｐに、以前にスタンプの画像データを取得した場所まで戻らせる、というペナルティを与えつつ、参加者Ｐに次のスタンプの画像データを取得させるように導くことができる。
なお、図９（５）は、Ｅの場所に設置されたＩＣタグ１０Ｅが読み取られた場合に、携帯端末２の表示部２０に表示される例であり、図９（６）は、Ｄの場所に設置されたＩＣタグ１０Ｄが読み取られた場合に、携帯端末２の表示部２０に表示される例である。
そして、参加者ＰがＡ〜Ｅの全ての場所のスタンプの画像データを取得後、出入口Ｅ１〜Ｅ３のいずれかで、例えば、携帯端末２に記憶させたスタンプの画像データを動物園Ｚの従業員に提示することで、参加者Ｐは、参加賞として、例えば、ぬいぐるみ等の商品を得ることができる。
【００３７】
このように、本実施形態によれば、以下のような効果がある。
（１）管理サーバ３は、タグＩＤ１１と、携帯端末２の端末ＩＤ２３とを携帯端末２から受信して、取得履歴記憶部３２に、タグＩＤ１１と、端末ＩＤ２３とのレコードが存在するか否かを判断する。そして、レコードが存在しない場合には、情報接続先テーブル３１を参照し、タグＩＤ１１に対応する移動証明ＵＲＩを、携帯端末２に送信する。そうすることで、携帯端末２に、スタンプの画像データを表示でき、携帯端末２によるスタンプラリーを実行できる。
他方、取得履歴記憶部３２に、タグＩＤ１１と、端末ＩＤ２３とのレコードが存在した場合には、時系列に並べた上で直前のレコードと同一か否かを判断し、同一ではない場合には、未取得のタグＩＤ１１を決定の上、情報接続先テーブル３１を参照し、受信したタグＩＤ１１から決定した未取得のタグＩＤ１１の設置場所への地図ＵＲＩを、携帯端末２に送信する。そうすることで、携帯端末２に、未取得のタグＩＤ１１の設置場所までの道のりを表示でき、携帯端末２を携行する参加者Ｐを、未取得のＩＣタグ１０の設置場所まで導くことができる。よって、移動証明システム１００は、スタンプラリーの面白さを向上させることができる。
【００３８】
（２）移動証明システム１００は、携帯端末２が以前にＩＣタグ１０を読み取ったか否かによって、異なる情報を携帯端末２に送信できる。そして、異なる情報を、参加者Ｐが取得したい情報にできる。
（３）移動証明システム１００は、取得履歴記憶部３２を用いて他の参加者のスタンプの画像データの取得状況を分析することで、他の参加者の取得率の低い未取得のスタンプを取得するための設置場所を決定する。よって、参加者Ｐを、他の参加者が集まりにくい設置場所に導くことができる。
（４）移動証明システム１００は、複数のＩＣタグ１０の各々を、例えば、参加者Ｐが移動しないと読み取りができないように、遠い位置に配置することで、参加者Ｐを、動物園Ｚの隅々まで移動させることができる。そのようにすることで、動物園Ｚの活性化を図ることができる。
【００３９】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４０】
（変形形態）
（１）本実施形態では、情報接続先テーブルを、移動証明ＵＲＩと地図ＵＲＩとを記憶し、地図ＵＲＩは、受信したＩＣタグから未取得のＩＣタグまでの地図情報を携帯端末に出力するものとして説明した。しかし、地図ＵＲＩに代えて、例えば、「ライオンの展示場所」等の文字を携帯端末に出力させるＵＲＩであってもよい。
（２）本実施形態では、未所得タグＩＤの特定処理（図７のＳ１５）を、制御部３５が、取得履歴記憶部３２を参照して、参加者Ｐを除く他の参加者の取得状況に基づいて、他の参加者の取得率の低いタグＩＤ１１を特定するものとして説明した。しかし、未取得タグＩＤの特定処理は、これに限定されない。例えば、本実施形態とは異なり、参加者を除く他の参加者の取得状況に基づいて、他の参加者の取得率の高いタグＩＤを特定するものとしてもよい。そのようにすることで、参加者がそのタグＩＤを有するＩＣタグが設置されたポスターに行った際には、他の参加者は、既にそのＩＣタグに関連付けられたスタンプを取得済みであるので、その場所が空いていると推定される。よって、参加者は、空いている場所に行くことができ、スタンプ取得のための待ち状態を低減させることができる。
【００４１】
（３）本実施形態では、端末ＩＤとして、ＵＩＭの利用者識別番号を例に説明した。しかし、端末ＩＤは、これに限定されず、例えば、Ｃｏｏｋｉｅのようなユーザの識別ができるものであってもよい。その他、ユーザ登録することで管理サーバが発行するユーザＩＤであってもよい。
（４）本実施形態では、動物園でのスタンプラリーを例に説明した。しかし、スタンプラリーは、例えば、鉄道の各駅にポスターを設置することで行ってもよいし、スタンプラリーの開催場所は、例えば、テーマパーク、ショッピングモール等であってもよく、これに限定されない。また、スタンプの画像データを収集した場合に、参加賞として商品が参加者に与えられるものとして説明したが、例えば、ショッピングモールの場合には、割引券であってもよく、その内容も、参加者が興味をひくものであれば、何でもよい。
（５）本実施形態では、ＩＣタグが読み取られた場合に、取得履歴として参照するものを同一日のものとして説明した。しかし、この時間は、ＩＣタグを読み取った際に、読み取ったＩＣタグのタグＩＤが連続するか否かを判断するのに用いるものであり、スタンプラリーの種類によって異なってもよい。よって、参照する取得履歴は、同一日に限定するものではない。
【符号の説明】
【００４２】
１，１Ａ〜１Ｅ  ポスター
２    携帯端末
３    管理サーバ
４    移動証明サーバ
１０，１０Ａ〜１０Ｅ  ＩＣタグ
１１，１１Ａ〜１１Ｅ  タグＩＤ
１２  管理タグＵＲＩ
２０  表示部
２１  アンテナ
２２，３０，４０  記憶部
２３  端末ＩＤ
２５，３５，４５  制御部
２６  管理サーバ接続部
２７  ＩＤ送信部
２８  接続先受信部
２９  配信情報出力部
３１  情報接続先テーブル
３２  取得履歴記憶部
３６  ＩＤ受信部
３７ａ  履歴判断部
３７ｂ  タグ特定部
３８  情報接続先送信部
３９  履歴更新部
４１  移動証明記憶部
４２  地図情報記憶部
１００  移動証明システム
Ｐ    参加者
【図１】
2014142690.tif 000003
【図２】
2014142690.tif 000004
【図３】
2014142690.tif 000005
【図４】
2014142690.tif 000006
【図５】
2014142690.tif 000007
【図６】
2014142690.tif 000008
【図７】
2014142690.tif 000009
【図８】
2014142690.tif 000010
【図９】
2014142690.tif 000011